(57)【要約】【課題】  取付けが容易であり、取付後もフロントガラス周縁フレームに安定して保持することができるフロントガラスウエザストリップを得る。【解決手段】  フロントガラスウエザストリップ５０のコーナー部５３は、フロントガラス周縁フレーム７のコーナー部に取付ける取付基部５３ｂと、取付基部の縦辺部側に一体に形成され、ドアガラスの側端と当接するドアガラスシール部５３ｃと、取付基部の上辺部側に一体に形成され、可動ルーフの前端と当接する可動ルーフシール部５３ｄとを有し、取付基部にフロントガラス周縁フレームのフランジ部の形状に対応したインサート５８を埋設し、インサートにフロントガラス周縁フレームのフランジ部に係止される切起こし係止部５８ａ、５８ｂを設けるとともに、クリップ４０を設けたコンバーチブルカー用のフロントガラスウエザストリップである。【選択図】        図１
2005206092.tif 000002
【特許請求の範囲】
【請求項１】
コンバーチブルカーに使用される、折畳んで車体に収納可能な可動ルーフの前端部及びドアガラスのフロント側端と、フロントガラスの周縁部との間をシールするフロントガラスウエザストリップにおいて、
該フロントガラスウエザストリップは、上記フロントガラスを保持するフロントガラス周縁フレームに取付けられ、上記フロントガラスの上辺部と可動ルーフの前端部との間をシールするフロントガラスウエザストリップ上辺部と、上記フロントガラスの側辺部と上記ドアガラスのフロント側端の間とをシールするフロントガラスウエザストリップ縦辺部と、上記フロントガラスの上辺部と側辺部との間のコーナー部をシールするフロントガラスウエザストリップコーナー部とからなり、
該フロントガラスウエザストリップコーナー部は、上記フロントガラス周縁フレームのコーナー部にフロントガラスウエザストリップを取付ける取付基部と、該取付基部の縦辺部側に一体に形成され、上記ドアガラスの側端と当接するドアガラスシール部と、上記取付基部の上辺部側に一体に形成され、上記可動ルーフの前端部と当接する可動ルーフシール部とを有し、
上記取付基部に上記フロントガラス周縁フレームのフランジ部の形状に対応したインサートを埋設し、該インサートに上記フロントガラス周縁フレームのフランジ部に係止される切起こし係止部を設けるとともに、上記取付基部に上記フロントガラス周縁フレームに取付けるクリップを設けたことを特徴とするコンバーチブルカー用のフロントガラスウエザストリップ。
【請求項２】
上記インサートは、断面略Ｌ字形に曲がった２つの面を有し、一方の面に上記切起こし係止部が設けられ、他方の面に上記クリップの脚部を嵌挿する孔を設けた請求項１に記載のコンバーチブルカー用のフロントガラスウエザストリップ。
【請求項３】
上記フロントガラスウエザストリップ上辺部は、可動ルーフシール部を有し、該可動ルーフシール部は、２本の中空状又はリップ状の可動ルーフシール部を備え、フロントガラスウエザストリップ縦辺部は、中空状のドアガラスシール部を有する請求項１または請求項２のいずれかに記載のコンバーチブルカー用のフロントガラスウエザストリップ。
【請求項４】
上記フロントガラスウエザストリップ上辺部とフロントガラスウエザストリップ縦辺部は押出成形により形成され、上記フロントガラスウエザストリップコーナー部は型成形により形成され、上記フロントガラスウエザストリップコーナー部を成形するときに上記フロントガラスウエザストリップ上辺部とフロントガラスウエザストリップ縦辺部とを一体的に接合した請求項１乃至請求項３のいずれかに記載のコンバーチブルカー用のフロントガラスウエザストリップ。
【請求項５】
上記フロントガラスウエザストリップコーナー部の取付基部の底面に上記フロントガラス周縁フレームに接着する両面接着テープを設けた請求項１乃至請求項４のいずれかに記載のコンバーチブルカー用のフロントガラスウエザストリップ。
【発明の詳細な説明】
【技術分野】
【０００１】
本発明は、自動車のルーフが折畳まれて車体に収納可能な可動ルーフを有するコンバーチブルカー用のルーフウエザストリップに関するものであり、さらに詳しくは、可動ルーフの前端部及びドアガラスのフロント側端と、フロントガラスの周縁部との間をシールするフロントガラスウエザストリップに関するものである。
【背景技術】
【０００２】
自動車のルーフが折畳まれて車体に収納可能な可動ルーフを有するコンバーチブルカーにおいて、可動ルーフが展開して、車体の天井部分まで移動して自動車のルーフを形成したときに、図６に示すように、その可動ルーフ１０の前端部とフロントガラス４上辺部の間及び、フロントガラス４側辺部とドアガラス３のフロント側の側端との間をシールすることが必要である。そのため、フロントガラス４が取付けられるフロントガラス周縁フレーム７に、フロントガラスウエザストリップ１５０が取付けられている（例えば、特許文献１参照）。
【０００３】
この場合に、フロントガラスウエザストリップ１５０は、フロントガラス４の上辺部と可動ルーフ１０の前端部との間をシールするフロントガラスウエザストリップ上辺部１５１と、フロントガラス４の両方の側辺部とドアガラス３のフロント側の側端の間とをシールするフロントガラスウエザストリップ縦辺部１５２，１５２と、フロントガラス４の上辺部と側辺部との間のコーナー部をシールするフロントガラスウエザストリップコーナー部１５３，１５３とからなる。そして、フロントガラスウエザストリップ上辺部１５１とフロントガラスウエザストリップ縦辺部１５２，１５２とは、フロントガラスウエザストリップコーナー部１５３，１５３により、型成形時に一体的に接合されている。
【０００４】
図７に示すように、フロントガラス周縁フレーム７の上辺部に取付けられるフロントガラスウエザストリップ上辺部１５１の取付基部１５５の面と、フロントガラス周縁フレーム７の側辺部に取付けられるフロントガラスウエザストリップ縦辺部１５２の取付基部１５５の面は略直角にずらされて形成されている。フロントガラスウエザストリップコーナー部１５３においては、この取付基部１５５の面が上辺部から縦辺部にかけて徐々に変化させられている。
また、フロントガラス周縁フレーム７の上辺部と縦辺部ではそれぞれ取付基部１５５を保持するためレール状のリテーナー等が取付けられているが、コーナー部では、曲線状かつ、ひねられて形状が変化しているため、１本のリテーナー等を設けることができなかった。
【０００５】
そのため、フロントガラスウエザストリップコーナー部１５３をフロントガラス周縁フレーム７のコーナー部に取付けるときは、上辺部分と縦辺部分とで取付方向が異なり、取付作業が面倒であり、取付後も取付基部１５５がリテーナーで保持されないため、安定しない場合があった。
【特許文献１】特開平８−１７５２８９号公報（第１図）
【発明の開示】
【発明が解決しようとする課題】
【０００６】
このため、フロントガラスウエザストリップ１５０のコーナー部の取付けが容易であり、取付後もフロントガラス周縁フレーム７に安定して保持されることができるフロントガラスウエザストリップが必要とされている。
【課題を解決するための手段】
【０００７】
上記課題を解決するために請求項１の本発明は、コンバーチブルカーに使用される、折畳んで車体に収納可能な可動ルーフの前端部及びドアガラスのフロント側端と、フロントガラスの周縁部との間をシールするフロントガラスウエザストリップにおいて、フロントガラスウエザストリップは、フロントガラスを保持するフロントガラス周縁フレームに取付けられ、フロントガラスの上辺部と可動ルーフの前端部との間をシールするフロントガラスウエザストリップ上辺部と、フロントガラスの側辺部とドアガラスのフロント側端の間とをシールするフロントガラスウエザストリップ縦辺部と、フロントガラスの上辺部と側辺部との間のコーナー部をシールするフロントガラスウエザストリップコーナー部とからなり、フロントガラスウエザストリップコーナー部は、フロントガラス周縁フレームのコーナー部にフロントガラスウエザストリップを取付ける取付基部と、取付基部の縦辺部側に一体に形成され、ドアガラスの側端と当接するドアガラスシール部と、取付基部の上辺部側に一体に形成され、可動ルーフの前端部と当接する可動ルーフシール部とを有し、取付基部にフロントガラス周縁フレームのフランジ部の形状に対応したインサートを埋設し、インサートにフロントガラス周縁フレームのフランジ部に係止される切起こし係止部を設けるとともに、取付基部にフロントガラス周縁フレームに取付けるクリップを設けたことを特徴とするコンバーチブルカー用のフロントガラスウエザストリップである。
【０００８】
請求項１の本発明では、フロントガラスウエザストリップは、フロントガラスを保持するフロントガラス周縁フレームに取付けられ、フロントガラスの上辺部と可動ルーフの前端部との間をシールするフロントガラスウエザストリップ上辺部と、フロントガラスの側辺部と上記ドアガラスのフロント側端の間とをシールするフロントガラスウエザストリップ縦辺部と、フロントガラスの上辺部と側辺部との間のコーナー部をシールするフロントガラスウエザストリップコーナー部とからなる。そのため、フロントガラスウエザストリップによりフロントガラスの上辺部と両側の側辺部を連続した１本のウエザストリップで安定して確実にシールすることができる。
【０００９】
可動ルーフが展開して、車体の天井を形成したときに、可動ルーフの前端部とフロントガラスの上辺部との間をフロントガラス周縁フレームの上辺部のフランジ部に取付けられたフロントガラスウエザストリップ上辺部でシールすることができる。また、ドアガラスを上昇させて閉じたときに、フロントピラーを構成するフロントガラス周縁フレームの縦辺部のリテーナーに取付けられたフロントガラスウエザストリップ縦辺部でシールすることができる。
【００１０】
フロントガラスウエザストリップコーナー部は、フロントガラス周縁フレームのコーナー部にフロントガラスウエザストリップを取付ける取付基部と、取付基部の縦辺部側に一体に形成され、ドアガラスの側端と当接するドアガラスシール部と、取付基部の上辺部側に一体に形成され、上記可動ルーフの前端部と当接する可動ルーフシール部とを有する。このために、フロントガラス周縁フレームのコーナー部に取付基部を取付けると、ドアガラスシール部と可動ルーフシール部が、それぞれドアガラスの先端と可動ルーフの前端に当接するように配置することができる。
【００１１】
取付基部にフロントガラス周縁フレームのフランジ部の形状に対応したインサートを埋設し、インサートにフロントガラス周縁フレームのフランジ部に係止される切起こし係止部を設けるとともに、取付基部にフロントガラス周縁フレームに取付けるクリップを設けたため、フロントガラスウエザストリップをフロントガラス周縁フレームに取り付けるときに、切起こし係止部をフロントガラス周縁フレームのフランジ部に係止して、位置決めしておき、取付基部にクリップを挿入してコーナー部をフロントガラス周縁フレームに止めることができ、取付けが容易である。
【００１２】
取付け後においても、インサートを埋設しているため、コーナー部の剛性が高く、変形し難い。しかも、インサートの切起こし係止部がフロントガラス周縁フレームのフランジ部に係止されているため、フロントガラスウエザストリップ上辺部やフロントガラスウエザストリップ縦辺部に可動ルーフの前端部やドアガラスのフロント側の側端が当接することにより生じる引張力に対しても、コーナー部が変形したり、位置ズレしたりするようなことなく、シール性が低下することがない。
なお、金属や硬質合成樹脂等からなるインサートにおいて、複数箇所に切起こし係止部を設けたため、切起こし係止部の剛性が高く、コーナー部を強く保持されることができる。また、インサートを埋設して成形することにより、インサートと被覆材との結合を強固にすることができるとともに、切起こし係止部において、インサートとフランジ部との間に被覆材を設けることができる。さらに、切起こし係止部とクリップの両方でコーナー部をフロントガラス周縁フレームに取付けることができるため、フロントガラスウエザストリップコーナー部を安定して取付けることができる。
【００１３】
請求項２の本発明は、インサートは、断面略Ｌ字形に曲がった２つの面を有し、一方の面に切起こし係止部が設けられ、他方の面にクリップの脚部を嵌挿する孔を設けた、コンバーチブルカー用のフロントガラスウエザストリップである。
【００１４】
請求項２の本発明では、インサートは、断面略Ｌ字形に曲がった２つの面を有している。そのため、フロントガラスウエザストリップ上辺部の取付け面とフロントガラスウエザストリップ縦辺部の取付け面の両方に対応した面をフロントガラスウエザストリップコーナー部に設けることができ、コーナー部を確実にフロントガラス周縁フレームに取付けることができる。
一方の面に切起こし係止部が設けられ、他方の面に上記クリップの脚部を嵌挿する孔を設けたため、フロントガラスウエザストリップ上辺部とフロントガラスウエザストリップ縦辺部のそれぞれの反力に対して、切起こし係止部とクリップがズレを防止することができる。
【００１５】
請求項３の本発明は、フロントガラスウエザストリップ上辺部は、可動ルーフシール部を有し、可動ルーフシール部は、２本の中空状又はリップ状の可動ルーフシール部を備え、フロントガラスウエザストリップ縦辺部は、中空状のドアガラスシール部を有する、コンバーチブルカー用のフロントガラスウエザストリップである。
【００１６】
請求項３の本発明では、フロントガラスウエザストリップ上辺部は、２本の中空状又はリップ状の可動ルーフシール部を有するため、可動ルーフが展開して車体の天井を形成したときに、可動ルーフの前端部がフロントガラスウエザストリップ上辺部に当接し、２本の可動ルーフシール部が可動ルーフの前端縁及び前端部の裏面にそれぞれ当接する。そのため、可動ルーフの前端部を２重のシールをすることができ、シール性を向上させることができる。
フロントガラスウエザストリップ縦辺部は、中空状のドアガラスシール部を有するため、ドアガラスが上昇して閉まったときに、ドアガラスのフロント側の側端が中空状のドアガラスシール部と当接して、側端がドアガラスシール部のシール壁に若干包まれるようになり、確実にシールすることができる。
【００１７】
請求項４の本発明は、フロントガラスウエザストリップ上辺部とフロントガラスウエザストリップ縦辺部は押出成形により形成され、フロントガラスウエザストリップコーナー部は型成形により形成され、フロントガラスウエザストリップコーナー部を成形するときにフロントガラスウエザストリップ上辺部とフロントガラスウエザストリップ縦辺部とを一体的に接合した、コンバーチブルカー用のフロントガラスウエザストリップである。
【００１８】
請求項４の本発明では、フロントガラスウエザストリップ上辺部とフロントガラスウエザストリップ縦辺部は押出成形により形成されたため、フロントガラス周縁フレームの上辺部と縦辺部のそれぞれの形状に適合した長尺状の製品を安価に成形することができる。
フロントガラスウエザストリップコーナー部は型成形により形成されたため、フロントガラスウエザストリップ上辺部とフロントガラスウエザストリップ縦辺部の形状の変化を、コーナー部で徐々に変化させつつ連続させることができ、コーナー部のシールを確実に行うことができる。
フロントガラスウエザストリップコーナー部は型成形で形成されるが、上辺部と縦辺部を押出成形で成形されているので、コーナー部の型成形部分を小さくすることができる。そのため、フロントガラスウエザストリップ全体を型成形で形成する場合に比べて、成形金型を小さくすることができ、金型コストを低減できるとともに、型成形の速度を早くすることができ、製造コストを低減できる。
【００１９】
フロントガラスウエザストリップコーナー部を成形するときにフロントガラスウエザストリップ上辺部とフロントガラスウエザストリップ縦辺部とを一体的に接合したため、フロントガラスウエザストリップコーナー部の成形と同時に成形時に加硫接着により、フロントガラスウエザストリップ上辺部とフロントガラスウエザストリップ縦辺部とを接合することができ、製造が容易である。
【００２０】
請求項５の本発明は、フロントガラスウエザストリップコーナー部の取付基部の底面にフロントガラス周縁フレームに接着する両面接着テープを設けた、コンバーチブルカー用のフロントガラスウエザストリップである。
【００２１】
請求項５の本発明では、フロントガラスウエザストリップコーナー部の取付基部の底面にフロントガラス周縁フレームに接着する両面接着テープを設けたため、フロントガラスウエザストリップコーナー部の取付基部を、インサートの切起こし係止部とクリップとを併せて、両面接着テープでフロントガラス周縁フレームに取付けることができる。そのため、取付基部が安定して、可動ルーフや、ドアガラスの当接によってもフロントガラスウエザストリップがズレたり、シワが寄ったりすることがなく、シール性が向上する。
【発明の効果】
【００２２】
本発明は、フロントガラスウエザストリップのコーナー部の取付基部に、フロントガラス周縁フレームのフランジ部の形状に対応したインサートを埋設し、インサートにフロントガラス周縁フレームのフランジ部に係止される切起こし係止部を設けるとともに、取付基部にフロントガラス周縁フレームに挿入されるクリップを設けたため、フロントガラスウエザストリップをフロントガラス周縁フレームに取付けるときに、切起こし係止部をフロントガラス周縁フレームのフランジ部に係止して、位置決めして、クリップを挿入して上記コーナー部の取付基部を止めることができ、取付けが容易である。
取付け後においても、インサートを埋設しているため、コーナー部の剛性が高く、不用意な変形をしないのでシール性が低下することがない。さらに、切起こし係止部とクリップの両方でフロントガラス周縁フレームに取付けるため、フロントガラスウエザストリップのコーナー部を安定して取付けることができる。
【発明を実施するための最良の形態】
【００２３】
本発明の実施の形態を図１〜図６に基づき説明する。図６は、コンバーチブルカーの外観を示す模式的な斜視図である。可動ルーフ１０は、展開したときは、車体の天井部分を覆い、フロント側の先端（前端部）は、フロントガラス４の上辺部に設けられたフロントガラスウエザストリップ５０に当接している。フロントガラスウエザストリップ５０は、フロントガラス４を保持するフロントガラス周縁フレーム７に取付けられる。
【００２４】
そして、フロントガラスウエザストリップ５０は、フロントガラス４の上辺部と可動ルーフ１０の前端部との間をシールするフロントガラスウエザストリップ上辺部５１と、フロントガラス４の両方の側辺部とドアガラス３のフロント側の側端との間をシールするフロントガラスウエザストリップ縦辺部５２、５２と、フロントガラス４の上辺部と側辺部との間のコーナー部をシールするフロントガラスウエザストリップコーナー部５３、５３とから構成される。
フロントガラスウエザストリップ５０の詳細は後述する。
【００２５】
可動ルーフ１０の車体側部に沿った両方の側部は、可動ルーフ１０とドアガラス３との間をシールするルーフウエザストリップ２０が設けられている。このルーフウエザストリップ２０は、可動ルーフ１０が折畳まれて、車体の後部に収納されることが可能となるように、可動ルーフ１０の折畳みに対応して、長手方向に複数に分割されている。
可動ルーフ１０は、ルーフ本体をなす柔軟性を持ち、折り畳み可能なルーフ幌１３とルーフ幌１３を支えるためのルーフ幌１３の両側端部等に延びる幌骨（金属フレーム）から形成される。
【００２６】
可動ルーフ１０がその収容された車体後部から展開して、車体の天井部を完全に形成すると、分割されたそれぞれのルーフウエザストリップ２０の長手方向の端部３１は、互いに当接して、可動ルーフ１０の側部に沿って１本の連続したルーフウエザストリップ２０になる。このようにして、可動ルーフ１０の側部はシールされる。なお、このルーフウエザストリップ２０は、幌骨に取付けられている。
【００２７】
可動ルーフ１０が収納されるときは、リンク機構及び駆動機構（図示せず）により、ルーフ幌１３は折畳まれて後方に移動して、車体の後部に設けられたスペースに収納され、幌骨もルーフ幌１３に対応して折畳まれて、同様に車体後部のスペースに収納される。幌骨１６が折畳まれるときに、ルーフウエザストリップ２０もそれに対応して折畳まれて、幌骨１６と共に収納される。
【００２８】
可動ルーフ１０が展開して天井を形成するときは、逆に幌骨が、フロントガラスの上辺部側に向かって伸びて、ルーフ幌１３が同様にフロントガラスの上辺部に向かって伸びる。このとき、ルーフウエザストリップ２０の前端は、上述のように、フロントガラスウエザストリップ５０の上辺部５１と縦辺部５２の間のフロントガラスウエザストリップコーナー部５３に当接する。
【００２９】
次にフロントガラスウエザストリップ５０の詳細について説明する。
図１は、フロントガラスウエザストリップ５０のコーナー付近の斜視図である。フロントガラスウエザストリップ５０は、前述の通り、フロントガラスウエザストリップ上辺部５１と、フロントガラスウエザストリップ上辺部５１の両端からフロントガラス周縁フレーム７の側辺部に沿って下方に延設されるフロントガラスウエザストリップ縦辺部５２、５２と、フロントガラス周縁フレーム７のコーナー部に取付けられるフロントガラスウエザストリップコーナー部５３、５３からなる。
【００３０】
フロントガラスウエザストリップ上辺部５１は、フロントガラス周縁フレーム７の上辺部のフランジ部に取付けられる上辺部取付基部５１ｂと、可動ルーフ１０の前端部と当接してシールする中空状の第１上辺部可動ルーフシール部５１ｃと、中空状の第２上辺部可動ルーフシール部５１ｄからなる。上辺部取付基部５１ｂは、図１に示すように、フロントガラス周縁フレーム７に設けられたフランジ部に挿入されて取付けられるように内部に芯金が埋設された断面略Ｕ字形のトリムを形成している。
可動ルーフ１０が展開して、車体の天井を形成すると、可動ルーフ１０のフロント側の前端縁と前端部の裏面に、それぞれ第１上辺部可動ルーフシール部５１ｃと第２上辺部可動ルーフシール部５１ｄが当接する。このため、第１上辺部可動ルーフシール部５１ｃと第２上辺部可動ルーフシール部５１ｄにより可動ルーフ１０との間は、２重のシールをすることができ、シール性がよい。
【００３１】
フロントガラスウエザストリップ縦辺部５２は、フロントガラス周縁フレーム７の側辺部のリテーナーに取付けられる縦辺部取付基部５２ｂと、ドアガラス３と当接してシールする中空状の縦辺部ドアガラスシール部５２ｃからなる。
ドアガラス３が上昇してドアガラス３が閉まると、ドアガラス３のフロント側の側端は、縦辺部ドアガラスシール部５２ｃに若干包まれるように当接してシールする。縦辺部ドアガラスシール部５２ｃの車室内側の側方には縦辺部カバーリップ５２ｄが延設され、ガーニッシュ等と接して、フロントガラス周縁フレーム７の部分をカバーし、車室内からの美観を向上させている。
【００３２】
フロントガラスウエザストリップコーナー部５３は、フロントガラスウエザストリップ上辺部５１と隣接する部分は、その断面形状がフロントガラスウエザストリップ上辺部５１と略同じであり、フロントガラスウエザストリップ縦辺部５２と隣接する部分は、その断面形状がフロントガラスウエザストリップ縦辺部５２と略同じである。そして、フロントガラス周縁フレーム７のコーナー部に対応して曲線状に形成され、両側の断面形状がコーナー部の中心方向に向けて変化し、連続的に一体化されている。
【００３３】
フロントガラスウエザストリップコーナー部５３は、図２〜図４に示すように、フロントガラス周縁フレーム７のコーナー部に取付けられるコーナー部取付基部５３ｂと、ドアガラス３の先端が当接するコーナー部ドアガラスシール部５３ｃと、可動ルーフ１０の前端部が当接するコーナー部可動ルーフシール部５３ｄからなる。
コーナー部取付基部５３ｂには、図５に示す、断面が略Ｌ字形に形成され、平面視でも略Ｌ字形に曲がった板状のインサート５８が埋設されている。インサート５８には、Ｌ字形の一方の平面内において２箇所の切起こし係止部５８ａ，５８ｂが設けられ、Ｌ字形の他方の平面の中央にクリップ取付孔５８ｃが設けられている。
【００３４】
図２は、図1のＡ−Ａ線に沿った断面図であり、フロントガラスウエザストリップ縦辺部５２と隣接する部分である。
この部分において、フロントガラスウエザストリップコーナー部５３のフロントガラス周縁フレーム７に取付けるコーナー部取付基部５３ｂは、断面が略Ｌ字形をなし、同様に断面が略Ｌ字形のインサート５８が埋設されている。インサート５８には、切起こし係止部５８ａが設けられている。インサート５８は、この実施の形態では金属製に板材が使用されているが、硬質合成樹脂を使用することもできる。切起こし係止部５８ａは、断面コ字形に設けられ、切起こし係止部５８ａの周囲は、コーナー部取付基部５３ｂを形成するゴム等の被服部材でカバーされている。この切起こし係止部５８ａにフロントガラス周縁フレーム７のフランジ部７ｃが挿入されて、フロントガラスウエザストリップコーナー部５３を係止している。
【００３５】
コーナー部取付基部５３ｂの裏面には、両面接着テープ５３ｆが貼着されている。フロントガラスウエザストリップコーナー部取付基部５３ｂをインサート５８の切起こし係止部５８ａ、５８ｂとクリップ４０とを併せて、両面接着テープ５３ｆでフロントガラス周縁フレーム７に取付けたため、コーナー部取付基部５３ｂが安定して、可動ルーフ１０や、ドアガラス３の当接によってもフロントガラスウエザストリップ５０がズレたり、シワが寄ったりすることがなく、シール性が向上する。
【００３６】
コーナー部取付基部５３ｂの両側端からコーナー部ドアガラスシール部５３ｃが中空状に形成されている。このコーナー部ドアガラスシール部５３ｃの中空部は、フロントガラスウエザストリップ縦辺部５２のドアガラスシール部５２ｃと連続している。ドアガラス３が上昇して閉まると、ドアガラス３の先端がコーナー部ドアガラスシール部５３ｃとフロントガラスウエザストリップ縦辺部５２のドアガラスシール部５２ｃに当接してシールする。
【００３７】
可動ルーフ１０が展開して、その前端部がフロントガラスウエザストリップ上辺部５１の第１上辺部可動ルーフシール部５１ｃ、第２上辺部可動ルーフシール部５１ｄとフロントガラスウエザストリップコーナー部５３のコーナー部可動ルーフシール部５３ｄに当接すると、フロントガラスウエザストリップコーナー部５３では、可動ルーフ１０の側部のルーフウエザストリップ２０の前端が当接する。
図３は、図1のＢ−Ｂ線に沿った断面図であり、フロントガラスウエザストリップ上辺部５１と隣接する部分である。
この部分において、フロントガラスウエザストリップ上辺部５１のフロントガラス周縁フレーム７に取付けるコーナー部取付基部５３ｂは、上記の縦辺部５２と同様に断面が略Ｌ字形をなし、断面が略Ｌ字形のインサート５８が埋設されている。インサート５８には、先端が断面コ字形に曲げられた切起こし係止部５８ｂが設けられている。切起こし係止部５８ｂの周囲は、コーナー部取付基部５３ｂを形成するゴム等の被覆部材でカバーされている。この切起こし係止部５８ｂにフロントガラス周縁フレーム７のフランジ部７ｃが挿入されて、フロントガラスウエザストリップコーナー部５３を係止している。
【００３８】
コーナー部取付基部５３ｂの断面Ｌ字形の２つの面に中空状の２本のコーナー部可動ルーフシール部５３ｄ、５３ｄがそれぞれ形成されている。可動ルーフ１０が展開したときに、その前端縁および前端部の裏面にこの２本のコーナー部可動ルーフシール部５３ｄ、５３ｄがそれぞれ当接して、可動ルーフ１０とフロントガラス４の上辺部との間をシールすることができる。２本のコーナー部可動ルーフシール部５３ｄ、５３ｄは、フロントガラスウエザストリップ上辺部５１の２本の第１上辺部可動ルーフシール部５１ｃと第２上辺部可動ルーフシール部５１ｄのそれぞれの中空シール部と連続している。図２に示す部分と同様に、コーナー部取付基部５３ｂの裏面には両面接着テープ５３ｆが貼着されている。
【００３９】
図４は、図1のＣ−Ｃ線に沿った断面図であり、フロントガラスウエザストリップコーナー部５３の略中央部である。
この部分において、フロントガラス周縁フレーム７に取付けるコーナー部取付基部５３ｂは、上記と同様に断面が略Ｌ字形をなし、同様に断面が略Ｌ字形のインサート５８が埋設されている。インサート５８には、略Ｌ字形の他方の面にクリップ４０を挿入するクリップ取付孔５８ｃが設けられている。このクリップ取付孔５８ｃにクリップ４０の脚部４１を挿入して、コーナー部取付基部５３ｂをフロントガラス周縁フレーム７に取付けている。
【００４０】
コーナー部取付基部５３ｂの断面Ｌ字形の両端から中空状のコーナー部可動ルーフシール部５３ｄが形成されている。可動ルーフ１０が展開したときに、その前端縁及び前端部の裏面にこのコーナー部可動ルーフシール部５３ｄが当接して、可動ルーフ１０とフロントガラス４の上辺部との間をシールしている。この部分においては、コーナー部可動ルーフシール部５３ｄは、内部に仕切り壁を有する１つの中空状のシール部となっており、フロントガラスウエザストリップ上辺部５１の２本の第１上辺部可動ルーフシール部５１ｃと第２上辺部可動ルーフシール部５１ｄのそれぞれの中空シール部と連続している。なお、図２に示す部分と同様に、コーナー部取付基部５３ｂの裏面には両面接着テープ５３ｆが貼着されている。
【００４１】
フロントガラス周縁フレーム７にフロントガラスウエザストリップコーナー部５３を取り付けるときは、切起こし係止部５８ａ、５８ｂをフロントガラス周縁フレーム７のフランジ部７ｃに係止して、仮止めと位置決めして、次に、クリップ４０の脚部４１をフロントガラス周縁フレーム７の別の面に設けた孔に挿入して止める。このため、フロントガラスウエザストリップコーナー部５３を２方向から安定して取り付けることができ、取付けが容易である。
【００４２】
この切起こし係止部５８ａ、５８ｂとクリップ４０は、フロントガラス周縁フレーム７のＬ字形の別の面に取り付けられるため、取付け後もフロントガラスウエザストリップコーナー部５３を安定して取付けることができる。また、インサート５８によりコーナー部の剛性が高く、変形し難いため、フロントガラスウエザストリップ上辺部５１やフロントガラスウエザストリップ縦辺部５２に可動ルーフ１０とドアガラス３が当接して生じる引張力に対しても、移動することなく、シール性が低下することがない。
【００４３】
このフロントガラスウエザストリップ５０は、押出成形により成形されるフロントガラスウエザストリップ上辺部５１とフロントガラスウエザストリップ縦辺部５２も、型成形により成形されるフロントガラスウエザストリップコーナー部５３も、ゴム、熱可塑性エラストマー、軟質合成樹脂等で形成することができる。ゴムの場合は、ＥＰＤＭ、熱可塑性エラストマーの場合は、オレフィン系熱可塑性エラストマーが耐候性、リサイクル、コスト等の点から好ましい。
いずれの場合も、ソリッド材及びスポンジ材で形成することができるが、少なくともドアガラスシール部と可動ルーフシール部をスポンジ材で形成することが、柔軟性、弾力性の点から好ましい。
【図面の簡単な説明】
【００４４】
【図１】本発明の実施の形態における、フロントガラスウエザストリップのフロントガラスウエザストリップコーナー部付近の部分斜視図である。
【図２】図１におけるＡ―Ａ線に沿った断面図である。
【図３】図１におけるＢ―Ｂ線に沿った断面図である。
【図４】図１におけるＣ―Ｃ線に沿った断面図である。
【図５】本発明の実施の形態におけるインサートの平面図である。
【図６】コンバーチブルカーの外観を示す模式的な斜視図である。
【図７】従来技術における、フロントガラスウエザストリップの斜視図である。
【符号の説明】
【００４５】
３  ドアガラス
７ｃ  フランジ部
１０  可動ルーフ
４０  クリップ
５０  フロントガラスウエザストリップ
５１  フロントガラスウエザストリップ上辺部
５２  フロントガラスウエザストリップ縦辺部
５３  フロントガラスウエザストリップコーナー部
５３ｂ  コーナー部取付基部
５８  インサート
５８ａ、５８ｂ  切起こし係止部
【図１】
2005206092.tif 000003
【図２】
2005206092.tif 000004
【図３】
2005206092.tif 000005
【図４】
2005206092.tif 000006
【図５】
2005206092.tif 000007
【図６】
2005206092.tif 000008
【図７】
2005206092.tif 000009